(57)【要約】【課題】かがんだりなどしたときに、ヒップ部において、着用者に窮屈感を与える虞が少ないズボンを提供する。【解決手段】ズボン１は、縦方向または／および横方向に伸縮可能な身頃表地２と、身頃表地２の伸縮以上に伸縮可能な裏地３とを備える。裏地３は、身頃表地２の後身頃５の上端部分から股下部の上部までの長さを備えている。そして、裏地３は、後身頃５における上端部分と脇部分１１と内股部分１２とに縫着される。このとき、裏地３は、その裏地３と身頃表地２とが引き伸ばされない状態において、互いに重なる部分がほぼ同一寸法で重なるように、身頃表地２に取り付けられている。【選択図】　図１
0003098702.tif 000002
【実用新案登録請求の範囲】
【請求項１】
縦方向または／および横方向に伸縮可能な身頃表地と、着用者の少なくともヒップ部を被って、少なくとも、前記身頃表地が伸縮する方向へ、その方向の前記身頃表地の伸縮以上に伸縮可能な裏地とを備え、
前記裏地は、その裏地と前記身頃表地とが引き伸ばされていない状態において、互いに重なる部分がほぼ同一寸法で重なるように、前記身頃表地に取り付けられてなるズボン。
【請求項２】
前記身頃表地の後身頃は、右後身頃と左後身頃とが縫着されて形成されており、
前記裏地は、前記右後身頃とほぼ同一の巾寸法である右裏地と、前記左後身頃とほぼ同一の巾寸法である左裏地とが縫着されて形成されてなる請求項１に記載のズボン。
【請求項３】
前記裏地は、パワーネット生地（ポリウレタン繊維等の弾性糸を編み込んだ編地）からなる請求項１または２に記載のズボン。
【請求項４】
前記裏地は、前記身頃表地の後身頃における上端部分から股下部の上部までの長さを備える請求項１ないし３のいずれか１項に記載のズボン。
【請求項５】
前記裏地は、前記後身頃における上端部分と脇部分と内股部分とに縫着されてなる請求項４に記載のズボン。
【考案の詳細な説明】
【０００１】
【考案の属する技術分野】
本考案は、ズボンに関するものである。
【０００２】
【従来の技術】
従来から、伸縮性のある布地を身頃表地に使用することで、足の曲げ伸ばし等の運動が楽なズボンがあった。また、前記ズボンの内側に裏地を設けることで、下着のラインを目立たなくするズボン（以下、第１のズボンと称する。）もあった。
【０００３】
また、伸縮性を備えた生地を裏地に使用するズボン（以下、第２のズボンと称する。）もあった（例えば、特許文献１参照）。このズボンの裏地は、パワーネットからなるともに、左右の後身頃の上部に対して、ウェスト周辺部から股下１０ｃｍ〜１５ｃｍの長さで、巾寸法が後身頃よりウェスト部分で１ｃｍ〜６ｃｍ、股下１０ｃｍ〜１５ｃｍあたりで２ｃｍ短い左右の裏地からなり、この裏地は、ズボンのウェスト周辺部と内股縫目と外脇縫目とに縫着されていた。これにより、人がこのズボンを着用すると、裏地によって着用者のヒップ部を持ち上げる力が働き、ヒップラインを美しく見せることができた。
【０００４】
【特許文献１】
実用新案登録第３０８０３９９号公報
【考案が解決しようとする課題】
しかしながら、前記第１のズボンにおいては、かがんだりなどしたときに、裏地が伸びず、特にヒップ部において、着用者に窮屈感を与える虞があった。また、第２のズボンにおいては、ズボンを着用したときに、着用者のヒップを持ち上げることはできても、着用者によっては、それが窮屈であると感じることもあった。また、裏地が後身頃の巾寸法より小さい巾寸法で、その後身頃に取り付けられているため、ズボンを着用しないときには、後身頃に皺ができるなど、後身頃の形態を損なう虞があった。
【０００５】
本考案は、上記従来の欠点を解決するためになされたものであり、その目的とするところは、裏地によって、下着のラインを目立たなくすることができるとともに、かがんだりなどしたときに、ヒップ部において、着用者に窮屈感を与える虞が少ないズボンを提供することにある。また、他の目的は、取り付けられた裏地によって身頃表地の形態を損なうことがないズボンを提供することにある。
【０００６】
【課題を解決するための手段】
本考案に係るズボンは、前記目的を達成するために、次の構成からなる。すなわち、
請求項１に記載のズボンは、縦方向または／および横方向に伸縮可能な身頃表地と、着用者の少なくともヒップ部を被って、少なくとも、前記身頃表地が伸縮する方向へ、その方向の前記身頃表地の伸縮以上に伸縮可能な裏地とを備える。ここで、前記裏地は、その裏地と前記身頃表地とが引き伸ばされていない状態において、互いに重なる部分がほぼ同一寸法で重なるように、身頃表地に取り付けられている。このように、裏地が身頃表地以上に伸縮可能であるので、このズボンの着用者がかがんだりしたときには、裏地は、身頃表地に追従して伸びる。また、裏地は、裏地と身頃表地とが引き伸ばされない状態において、互いに重なる部分がほぼ同一寸法で重なるように取り付けられているので、例えば、このズボンがハンガーに掛けられて陳列販売されるときなど、ズボンの非着用時に、裏地によって身頃表地の形態が損なわれるということがない。
【０００７】
また、請求項２に記載のズボンのように、前記身頃表地の後身頃は、右後身頃と左後身頃とが縫着されて形成されており、前記裏地は、前記右後身頃とほぼ同一の巾寸法である右裏地と、前記左後身頃とほぼ同一の巾寸法である左裏地とが縫着されて形成されてもよい。
【０００８】
また、請求項３に記載のズボンのように、前記裏地は、パワーネット生地（ポリウレタン繊維等の弾性糸を編み込んだ編地）からなることが望ましい。これにより、ズボンの着用者がかがんだりなどして裏地が身頃表地とともに伸びると、裏地には、その伸びを戻そうとする、キックバック力が働く。
【０００９】
また、請求項４に記載のズボンのように、前記裏地は、前記身頃表地の後身頃における上端部分から股下部の上部までの長さを備えることが望ましい。このように、裏地は、後身頃の上端部分から股下部の上部までの長さを備えるので、ズボンを着用した人のヒップ部および太股の付け根辺りを被う。
【００１０】
また、請求項５に記載のズボンのように、前記裏地は、前記後身頃における上端部分と脇部分と内股部分とに縫着されてもよい。
【００１１】
【考案の実施の形態】
以下、この考案に係るズボンの実施の形態を図面に基づいて説明する。
【００１２】
図１ないし図３は、本考案に係るズボンの一実施の形態を示す。図中符号１は、本考案に係るズボンを示し、縦方向または／および横方向に伸縮可能な身頃表地２と、着用者の少なくともヒップ部を被って、少なくとも、前記身頃表地２が伸縮する方向へ、その方向の前記身頃表地２の伸縮以上に伸縮可能な裏地３とを備える。身頃表地２は、例えば、ポリエステル６４％、レーヨン３３％、ポリウレタン３％の組成で構成された織物からなる。また、裏地３は、例えば、パワーネット生地からなる。ここで、パワーネット生地とは、ポリウレタン繊維等の弾性糸を編み込んだ編地であり、伸びた後のキックバック性に優れている。そして、前記身頃表地２の上端部分には、ウェストバンド４が縫目４ａで縫着されている。
【００１３】
身頃表地２の後身頃５は、右後身頃６と左後身頃７（ここで、左後身頃７は、右後身頃６と左右対称に形成されている。）とが、それぞれ股上部６ａ、７ａで縫着されて形成されている。
【００１４】
裏地３は、この裏地３と身頃表地２とが引き伸ばされない状態において、互いに重なる部分がほぼ同一寸法で重なるように、前記身頃表地２に取り付けられている。具体的には、裏地３は、前記右後身頃６とほぼ同一（図示実施の形態においては、同一）の巾寸法である右裏地８と、前記左後身頃７とほぼ同一（図示実施の形態においては、同一）の巾寸法である左裏地９とが縫着されて、詳しくは、右裏地８の股上部８ａと左裏地９の股上部９ａとが縫目１０で縫着されて形成されている。ここで、右裏地８は、前記右後身頃６の上端部分から股下部の上部（詳しくは、股下寸法８ｂが５ｃｍ〜１５ｃｍ、好ましくは、８ｃｍ〜１１ｃｍの長さ範囲となる部分）までの長さを備えている。また、左裏地９は、前記右裏地８と左右対称であって、前記左後身頃７の上端部分から股下部の上部（詳しくは、股下寸法９ｂが５ｃｍ〜１５ｃｍ、好ましくは、８ｃｍ〜１１ｃｍの長さ範囲となる部分）までの長さを備えている。こうして、裏地３は、前記後身頃５とほぼ同一の巾寸法を備えるとともに、前記身頃表地２の後身頃５における上端部分から股下部の上部までの長さを備えている。そして、裏地３は、この裏地３における上端部分３ａと脇部分３ｂと内股部分３ｃとが、それぞれ前記後身頃５における上端部分と脇部分１１と内股部分１２とに、詳しくは、ウェストバンド４の縫目４ａと脇縫目１１ａと内股縫目１２ａとに縫着されることで、前記裏地３と前記後身頃５とが引き伸ばされていない状態において、互いに重なる部分がほぼ同一寸法で重なるように、前記後身頃５に取り付けられている。
【００１５】
次に、以上の構成からなるズボン１の作用効果について説明する。ズボン１は、裏地３が身頃表地２以上に伸縮可能であることから、このズボン１を着用した人（以下、着用者と称する。）がかがんだりしたときには、裏地３が身頃表地２に追従して伸びることができるので、ヒップ部において、着用者に窮屈感を与える虞が少ない。また、裏地３は、裏地３と後身頃５とが引き伸ばされていない状態において、互いに重なる部分がほぼ同一寸法で重なるように、後身頃５に取り付けられているので、例えば、このズボン１がハンガーに掛けられて陳列販売されるときなど、ズボンの非着用時に、裏地３が縫着された部分で後身頃５がだぶついたりだとか、後身頃５に皺ができてしまうということがない。すなわち、裏地３によって身頃表地２の形態が損なわれることがないので、ズボン１は、見栄えのよいものとなる。
【００１６】
また、裏地３は、パワーネット生地からなっているので、着用者がかがんだりなどして、裏地３が身頃表地２とともに伸びると、前記裏地３には、その伸びを戻そうとする、キックバック力が働くので、着用者のヒップラインを美しく見せることができる。
【００１７】
また、裏地３は、後身頃５の上端部分から股下部の上部までの長さを備えているので、着用者のヒップ部および太股の付け根辺りを被うことができる。すなわち、裏地３は、着用者がズボン１の下に着用している下着を被い隠すので、その下着のラインを確実に目立たなくすることができる。
【００１８】
なお、本考案は、上記実施の形態に限定されるわけではなく、その他様々な変更が可能である。例えば、身頃表地２は、縦方向および横方向のいずれにも伸縮する必要はなく、縦方向あるいは横方向のどちらか一方向のみに伸縮するものであってもよい。また、その身頃表地２の組成も、実施の形態に示されるものに限定されるわけではなく、例えば、綿９５％、ポリウレタン５％からなる組成であったりしてもよく、様々に設計変更可能であることはいうまでもない。
【００１９】
また、裏地３は、パワーネット生地からなっているが、強いキックバック力が必要でなければパワーネット生地からなる必要はなく、身頃表地２の伸縮する方向に、その身頃表地２以上に伸縮可能であれば、どのような生地からなってもよい。また、裏地３の伸縮する方向は、身頃表地２の伸縮する方向にのみ限定されるわけではない。例えば、身頃表地２が縦方向（または、横方向）にのみ伸縮する場合においては、裏地２は、縦方向（または、横方向）のみでなく、横方向（または、縦方向）に伸縮しても構わない。また、裏地３は、必ずしも後身頃５における上端部分から股下部の上部までの長さを備える必要はなく、股上部でとどまる長さであってもよい。また、裏地３が股下部の上部までの長さを備える場合であっても、その長さは、任意に変更可能である。さらには、裏地３は、裾近くまで延びる長さを備えるものであってもよい。
【００２０】
また、裏地３は、必ずしも、後身頃５における上端部分と脇部分１１と内股部分１２とに縫着によって取り付けられる必要はなく、例えば、身頃表地２および裏地３のそれぞれに取り付けられた面ファスナーの接合によって取り付けられてもよいし、あるいは、接着とか溶着によって取り付けられてもよい。
【００２１】
【考案の効果】
以上、詳述したことから明らかなように、本考案に係るズボンによれば、次の効果がある。
【００２２】
請求項１、２および５に記載されたズボンによると、裏地が着用者のヒップ部を覆うので、ズボンの外側から下着のラインが目立たない。また、かがんだりするときに、裏地が身頃表地に追従して伸びるので、ヒップ部において、着用者に窮屈感を与える虞が少ない。また、裏地が身頃表地の形態に影響を与えないので、見栄えのよいズボンを提供できる。
【００２３】
また、請求項３に記載されたズボンによると、加えて、裏地がパワーネット生地からなるので、かがんだりなどして身頃表地とともに裏地が伸びたときに、パワーネット生地のキックバック力が働くので、ヒップラインを美しく見せることができる。
【００２４】
また、請求項４に記載されたズボンによると、加えて、裏地がズボンを着用した人のヒップ部および太股の付け根辺りを覆うので、下着のラインを確実に目立たなくすることができる。
【図面の簡単な説明】
【図１】本考案に係るズボンの一実施の形態において、ズボンを裏返した状態の背面図である。
【図２】同じく、ズボンを裏返した状態の右側面図である。
【図３】同じく、後身頃に裏地を縫着する前の状態を示す図である。
【符号の説明】
１　ズボン　　　　　　　　　　　　２　身頃表地
３　裏地　　　　　　　　　　　　　５　後身頃
６　右後身頃　　　　　　　　　　　７　左後身頃
８　右裏地　　　　　　　　　　　　９　左裏地
１１　脇部分　　　　　　　　　　　１２　内股部分
【図１】
0003098702.tif 000003
【図２】
0003098702.tif 000004
【図３】
0003098702.tif 000005